(57)【要約】【課題】振動抑制体２の固定位置を正確に決めることができるとともに、振動抑制体２の擦れによる破損をなくすることができる振動抑制体２固定用の雄螺子１を提供する。【解決手段】貫通する円孔２１を有する振動抑制体２を螺子孔３１が開設されている支持体３に取付ける雄螺子１を、前記螺子孔３１に螺合される螺子部１１と、該螺子部１１に連なり、螺子部１１よりも太く、且つ前記円孔２１の内周面と接触する中間軸部１３と、該中間軸部１３に連なり、中間軸部１３よりも太い頭部１５とを有し、前記中間軸部１３の外周に、前記円孔２１の内周面との接触面積を少なくすべき凹部を設けてある構成とし、中間軸部１３の円孔２１内周面との接触抵抗を低減することができるようにした。【選択図】図２
2008261413.tif 000002
【特許請求の範囲】
【請求項１】
貫通する円孔を有する振動抑制体を、螺子孔を有する支持体に固定する雄螺子において、前記螺子孔に螺合される螺子部と、該螺子部に連なり、螺子部よりも太く、且つ前記円孔の内周面と接触する中間軸部と、該中間軸部に連なり、中間軸部よりも太い頭部とを有し、前記中間軸部の外周に、前記円孔の内周面との接触面積を少なくすべき凹部を設けてあることを特徴とする振動抑制体固定用の雄螺子。
【請求項２】
前記中間軸部は、前記螺子部側が小径の円錐台形に形成してある請求項１記載の振動抑制体固定用の雄螺子。
【請求項３】
前記中間軸部は角柱形に形成してある請求項１記載の振動抑制体固定用の雄螺子。
【請求項４】
前側に表示面を有する表示部と、該表示部の後側を被覆するキャビネットと、該キャビネット内に配置される排気ファンと、該排気ファンの振動を抑制する振動抑制体と、該振動抑制体を前記表示部に固定する請求項１乃至３のいずれか一つに記載の雄螺子とを備えることを特徴とする表示装置。
【発明の詳細な説明】
【技術分野】
【０００１】
本発明は機器が発生する振動、又は機器が受ける振動を抑制する振動抑制体を、前記機器が支持される支持体に固定するための雄螺子、及び振動抑制体により排気ファンの振動を抑制してある表示装置に関する。
【背景技術】
【０００２】
機器が発生する振動、機器が受ける振動を抑制する手段として円筒形をなすゴム製の振動抑制体が用いられている。この振動抑制体を、前記機器が支持される支持体に固定する固定構造は、振動抑制体の貫通孔に嵌入され、該振動抑制体の撓み量を規制するスリーブと、該スリーブ内に挿通され、前記支持体に開設されている螺子孔に螺着されるボルトとを備え、該ボルトを螺子孔に締込むことにより振動抑制体を支持体に固定している（例えば、特許文献１参照）。
【０００３】
図２０は従来の振動抑制体固定用の雄螺子の構成を示す斜視図、図２１は振動抑制体の固定構造を示す断面図である。この固定構造は、機器を支持する支持体２００に開設されている螺子孔２０１に螺合される螺子部１０１と、該螺子部１０１に連なり、螺子部１０１よりも太く、且つ振動抑制体３００の貫通孔３０１内周面と接触する中間軸部１０２と、該中間軸部１０２に連なり、中間軸部１０２よりも太い頭部１０３とを有するボルト１００を備え、中間軸部１０２が振動抑制体３００の撓み量を規制し、また、中間軸部１０２が貫通孔３０１内周面と接触することにより振動抑制体３００の固定位置、ひいては機器の支持位置を決めるように構成されている。
【０００４】
薄型テレビジョン等の表示装置は、画像を表示する表示面を前側に有する表示部と、下側に吸気口及び上側に排気口を夫々有し、前記表示部の後側を被覆するキャビネットと、該キャビネット内に配された排気ファンとを備え、該排気ファンの駆動により下側の吸気口からキャビネット内へ吸気した空気を上側の排気口から外部へ排出し、キャビネット内の温度上昇を抑制するように構成されている（例えば、特許文献２参照）。
【特許文献１】特開２００１−１５９４０６号公報
【特許文献２】特開２００６−５８６７９号公報
【発明の開示】
【発明が解決しようとする課題】
【０００５】
ところが、特許文献１に記載されているようにスリーブ及びボルトを用いて振動抑制体を固定する固定構造にあっては、スリーブ及びボルトが必要であるため、部品点数が比較的多く、部品のコスト及び固定作業性の点で改善策が要望されていた。
【０００６】
また、図２１に示す固定構造にあっては、ゴム製の振動抑制体の貫通孔内周面にボルトの中間軸部が接触して振動抑制体の固定位置、ひいては機器の支持位置を正確に決めるように構成されているため、ボルトの螺子部が支持体の螺子孔に締込まれる際、中間軸部と貫通孔内周面との接触抵抗によりボルトの回転が振動抑制体に伝わり、該振動抑制体が共回りし、振動抑制体の支持体との接触端面が擦れることになる。この接触端面の擦れにより振動抑制体が変形し、破損して破片が発生することになり、改善策が要望されていた。
【０００７】
改善策として、振動抑制体をフッソ、シリコン等の潤滑剤によりコーティングし、中間軸部と貫通孔内周面との接触抵抗を低減することが考えられる。しかし、シリコン系潤滑剤はシロキサンを発生させるため電気部品・電子部品に悪影響を与えるし、また、組立て作業時に手指に付着した潤滑剤が他の部品に付着して他の部品を汚染することになり、また潤滑剤が余計に必要であるためコスト高になり、好ましい改善策でない。
【０００８】
本発明は斯かる事情に鑑みてなされたものであり、主たる目的は振動抑制体の円孔の内周面と接触する中間軸部の外周に、前記円孔の内周面との接触面積を少なくすべき凹部を設けることにより、中間軸部の円孔内周面との接触抵抗を低減でき、雄螺子が締込まれる際に振動抑制体が共回りするのを抑制することができ、振動抑制体の擦れによる破損をなくすることができる振動抑制体固定用の雄螺子を提供することにある。
【０００９】
また、他の目的は雄螺子の中間軸部を、螺子部側が小径の円錐台形に形成することにより、既存の雄螺子の加工工程で加工することができ、コストを低減することができる振動抑制体固定用の雄螺子を提供することにある。
【００１０】
また、他の目的は雄螺子の中間軸部を、角柱形に形成することにより、既存の雄螺子の加工工程で加工することができ、コストを低減することができる振動抑制体固定用の雄螺子を提供することにある。
【００１１】
また、他の目的は前側に表示面を有する表示部と、該表示部の後側を被覆するキャビネットと、該キャビネット内に配置される排気ファンと、該排気ファンの振動を抑制する振動抑制体と、該振動抑制体を前記表示部に取付ける前述の雄螺子とを備える構成とすることにより、排気ファンを適正な支持位置に支持することができるとともに、擦れによる振動抑制体の破損を防ぐことができる表示装置を提供することにある。
【課題を解決するための手段】
【００１２】
本発明に係る振動抑制体固定用の雄螺子は、貫通する円孔を有する振動抑制体を、螺子孔を有する支持体に取付ける雄螺子において、前記螺子孔に螺合される螺子部と、該螺子部に連なり、螺子部よりも太く、且つ前記円孔の内周面と接触する中間軸部と、該中間軸部に連なり、中間軸部よりも太い頭部とを有し、前記中間軸部の外周に、前記円孔の内周面との接触面積を少なくすべき凹部を設けてあることを特徴とする。
【００１３】
この発明にあっては、中間軸部を振動抑制体の円孔に嵌入し、螺子部を支持体の螺子孔に締込むことにより中間軸部の先側端面が支持体に当接し、振動抑制体の撓み量を規制することができるとともに、前記螺子孔に対する前記機器の支持位置を正確に決めることができる。雄螺子は、中間軸部の外周に設けられている凹部により前記円孔の内周面との接触面積が少なく、円孔内周面との接触抵抗を低減してあるため、雄螺子が締込まれる際に振動抑制体が共回りするのを抑制することができ、振動抑制体の擦れによる破損をなくすることができる。
【００１４】
また、本発明に係る振動抑制体固定用の雄螺子は、前記中間軸部は、前記螺子部側が小径の円錐台形に形成してあることを特徴とする。
【００１５】
この発明にあっては、既存の雄螺子の加工工程で加工し得るため、雄螺子のコストを低減することができる。
【００１６】
また、本発明に係る振動抑制体固定用の雄螺子は、前記中間軸部は角柱形に形成してあることを特徴とする。
【００１７】
この発明にあっては、既存の雄螺子の加工工程で加工し得るため、雄螺子のコストを低減することができる。
【００１８】
また、本発明に係る表示装置は、前側に表示面を有する表示部と、該表示部の後側を被覆するキャビネットと、該キャビネット内に配置される排気ファンと、該排気ファンの振動を抑制する振動抑制体と、該振動抑制体を前記表示部に固定する前述の発明の雄螺子とを備えることを特徴とする。
【００１９】
この発明にあっては、キャビネット内に配置される排気ファンが発生する振動を振動抑制体により抑制することができ、また、雄螺子の締込みにより振動抑制体の撓み量を規制することができるとともに、雄螺子を締込むことにより排気ファンを適正な支持位置に支持することができ、また、擦れによる振動抑制体の破損を防ぐことができる。
【発明の効果】
【００２０】
本発明によれば、中間軸部が円孔内周面と接触することにより振動抑制体の固定位置、ひいては機器の支持体への支持位置を正確に決めることができ、しかも、中間軸部の円孔内周面との接触面積を少なくすることができ、中間軸部の円孔内周面との接触抵抗を低減することができるため、雄螺子が締込まれる際に振動抑制体が共回りするのを抑制することができ、振動抑制体の擦れによる破損を防ぐことができる。
【００２１】
また、本発明によれば、既存の雄螺子の加工工程で加工し得るため、雄螺子のコストを低減することができる。
【００２２】
また、本発明によれば、キャビネット内に配置される排気ファンが発生する振動を振動抑制体により抑制することができ、しかも、雄螺子を締込むことにより排気ファンを支持位置に正確に支持することができるとともに、振動抑制体の擦れによる破損を防ぐことができる。
【発明を実施するための最良の形態】
【００２３】
以下本発明をその実施の形態を示す図面に基づいて詳述する。
実施の形態１
図１は本発明に係る振動抑制体固定用の雄螺子の構成を示すもので、(a) は正面図、(b) は底面図、図２は雄螺子が振動抑制体を固定している状態を示す断面図である。
【００２４】
図示した雄螺子１は、貫通する円孔２１を有し円筒形をなす振動抑制体２を、螺子孔３１を有する支持体３に固定する雄螺子である。この雄螺子１は、螺子孔３１に螺合される螺子部１１と、該螺子部１１に径方向の段部１２を経て連なり、螺子部１１よりも太く、且つ前記円孔２１の内周面の一部と接触する中間軸部１３と、該中間軸部１３に段部１４を経て連なり、中間軸部１３よりも太い頭部１５とを有する。
【００２５】
中間軸部１３は螺子部１１側が小径の円錐台形に形成され、中間軸部１３の大径側が円孔２１の内周面と接触して螺子孔３１に対する振動抑制体２の固定位置を正確に決めることができるようになし、中間軸部１３の小径側を、円孔２１の内周面と接触しない凹部とし、中間軸部１３の円孔２１内周面との接触面積を少なくしてある。また、中間軸部１３は振動抑制体２の両端間長さよりも若干短く形成され、その寸法差だけ振動抑制体２を撓ませることができるように構成されている。
【００２６】
頭部１５は段部１４を有する円板状の大径部及び回転操作用の十字溝が設けられている小径部を有する。
【００２７】
振動抑制体２はゴム製であり、両端間の中間部外周に、係止用の環状溝２２が設けられている。
【００２８】
図３は振動を発生するファンの構成を示す斜視図、図４はファンの構成を示す分解斜視図である。以上のように構成された雄螺子１により固定される振動抑制体２は、例えば略Ｕ字形をなし、振動抑制体２の環状溝２２に係止される係止片４１を有するファン等の機器４の前記係止片４１に着脱を可能に取付けられる。この取付けは、振動抑制体２の環状溝２２に前記係止片４１を嵌込むことにより実行できる。
【００２９】
機器４に取付けられた振動抑制体２を、螺子孔３１を有する支持体３に固定する場合、振動抑制体２を支持体３の螺子孔３１周りに載置し、雄螺子１の螺子部１１を振動抑制体２の円孔２１に挿通し、中間軸部１３を円孔２１に嵌入した後、頭部１５の十字溝にドライバー等の工具を係合させ、螺子部１１を螺子孔３１に締込むことにより、振動抑制体２を若干撓ませて支持体３に固定することができる。この際、中間軸部１３は大径側だけが円孔２１の内周面と接触し、中間軸部１３の小径側は円孔２１の内周面と接触しないため、中間軸部１３の振動抑制体２との接触面積を少なくすることができ、円孔２１内周面との接触抵抗を低減することができる。因って、雄螺子１が締込まれる際に振動抑制体２が共回りするのを抑制することができ、共回りによる振動抑制体２の擦れをなくすることができる。また、中間軸部１３は大径側が円孔２１の内周面と接触しているため、中間軸部１３に対する振動抑制体２のガタつきをなくすることができ、螺子孔３１に対する振動抑制体２の固定位置、ひいては機器４の支持位置を正確に決めることができ、機器４を正確な位置に支持することができる。
【００３０】
以上のように構成された振動抑制体２の固定構造は、例えば液晶テレビジョン等の表示装置に用いられる。図５は表示装置の構成を示す縦断側面図、図６は表示装置の構成を示す一部を省略した背面図である。この表示装置は、テレビ画像を表示する表示面６１ａを前側に有し、略直方体をなす表示部６１と、該表示部６１の周縁部及び後側を被覆する深皿形をなすキャビネット６２と、該キャビネット６２内に配置され、表示部６１が発生する熱を外部へ排気する排気ファン６３と、該排気ファン６３に取着され、排気ファン６３の振動を抑制するゴム製の振動抑制体２と、該振動抑制体２を表示部６１の後面に取付ける雄螺子１とを備える薄型液晶テレビジョン、換言すれば薄型表示装置である。尚、排気ファン６３が前記機器４を構成している。
【００３１】
表示部６１は、前側に表示面６１ａを有し略直方体をなすパネル６４と、該パネル６４の後側に配された拡散板等の光学シート６５と、該光学シート６５の後側に配置され複数のランプ６６ａを有するバックライト部６６と、該バックライト部６６の後側に配置され、複数の電子部品が実装されている回路基板等の基板６７と、排気ファン６３とを備える。基板６７及び排気ファン６３は板状の支持体３に支持されている。
【００３２】
バックライト部６６は、前側が開放された箱形をなす金属板製のシャーシ６６ｂと、該シャーシ６６ｂ内に上下に離隔して収容支持されている複数のランプ６６ａとを有し、シャーシ６６ｂの後面に支持体３が取付けられている。
【００３３】
キャビネット６２は、表示部６１の周縁部を被覆する枠部６２ａと、深皿形をなし、表示部６１の後側を被覆する蓋板部６２ｂとを有しており、枠部６２ａ及び蓋板部６２ｂがシャーシ６６ｂに複数のビスにより取付けられている。蓋板部６２ｂの下部は外部の空気をキャビネット６２内に吸気する吸気口６２ｃを有し、上部はキャビネット６２内の空気を外部へ排気する排気口６２ｄを有する。
【００３４】
排気ファン６３は、羽根車６３ａと、該羽根車６３ａを駆動するモータと、該モータを支持し、羽根車６３ａの周りを覆うケーシング６３ｂと、複数の係止片を有し、ケーシング６３ｂを保持する板状の保持体とを備え、該保持体の係止片に振動抑制体２が取付けられる。
【００３５】
以上のように構成された表示装置は、排気ファン６３の係止片に取付けられている複数の振動抑制体２が支持板３の所定位置に載置され、各振動抑制体２の円孔２１に雄螺子１を挿入し、螺子部１１を螺子孔３１に締込むことにより、振動抑制体２を若干撓ませて支持体３に固定することができる。この際、中間軸部１３は大径側だけが円孔２１の内周面と接触し、中間軸部１３の小径側は円孔２１の内周面と接触しないため、中間軸部１３の振動抑制体２との接触面積を少なくすることができ、円孔２１内周面との接触抵抗を低減することができる。因って、雄螺子１が締込まれる際に振動抑制体２が共回りするのを抑制することができ、共回りによる振動抑制体２の擦れをなくすることができる。また、中間軸部１３は大径側が円孔２１の内周面と接触しているため、中間軸部１３に対する振動抑制体２のガタつきをなくすることができ、螺子孔３１に対する振動抑制体２の固定位置、ひいては排気ファン６３の支持位置を正確に決めることができ、排気ファン６３を正確な位置に支持することができる。排気ファン６３が支持された支持板３はシャーシ６６ｂの後面に小螺子により取付けられる。
【００３６】
実施の形態２
図７は雄螺子１の他の構成を示すもので、(a) は正面図、(b) は底面図である。この雄螺子１は、中間軸部１３を、円孔２１の内周面との接触面積を少なくするための断面六角形の角柱形に形成してある。
【００３７】
中間軸部１３は、角柱形の角部が円孔２１の内周面と接触して螺子孔３１に対する振動抑制体２の固定位置を正確に決めることができるようになし、角部間の平坦面部を、円孔２１の内周面と接触しない凹部とし、中間軸部１３の円孔２１内周面との接触面積を少なくしてある。
その他の構成及び作用は実施の形態１と同様であるため、同様の部品については同じ符号を付し、その詳細な説明及び作用効果の説明を省略する。
【００３８】
実施の形態３
図８〜図１５は雄螺子１の他の構成を示すもので、(a) は正面図、(b) は底面図である。図８の雄螺子１は、実施の形態１（図１）のように中間軸部１３を円錐台形とし、段部１２の角を面取りしてある。図９の雄螺子１は、中間軸部１３の長手方向の中途に、円孔２１の内周面との接触面積を少なくするための環状の凹部１３ａを設けてある。図１０の雄螺子１は、中間軸部１３の外周に、円孔２１の内周面との接触面積を少なくするための環状の凹部１３ｂを長手方向に離隔して複数設けてある。図１１の雄螺子１は、中間軸部１３の外周に、円孔２１の内周面との接触面積を少なくするための螺旋の凹部１３ｃを設けてある。図１２の雄螺子１は、中間軸部１３の外周に複数の四角錐の凸部１３ｄを設け、各凸部１３ｄの頂点周りを、円孔２１の内周面との接触面積を少なくするための凹部としてある。図１３の雄螺子１は、中間軸部１３の外周に、円孔２１の内周面との接触面積を少なくするためのＶ溝からなる凹部１３ｅを周方向に離隔して複数設けてある。図１４の雄螺子１は、中間軸部１３の外周に、円孔２１の内周面との接触面積を少なくするためのＶ溝からなる捻り凹部１３ｆを周方向に離隔して複数設けてある。図１５の雄螺子１は、中間軸部１３を、円孔２１の内周面との接触面積を少なくするための断面六角形の角柱形とし、夫々の角を湾曲面にしてある。
その他の構成及び作用は実施の形態１、２と同様であるため、同様の部品については同じ符号を付し、その詳細な説明及び作用効果の説明を省略する。
【００３９】
図１６〜図１９は振動抑制体が振動を抑制する機器の例を示す説明図である。以上説明した実施の形態では排気ファン６３の振動を抑制する振動抑制体２を雄螺子１が固定する構成について説明したが、その他、図１６、図１７に示すようにカーナビゲーション、カーステレオ、パーソナルコンピュータ、薄型テレビジョン、ＤＶＤレコーダ、ステレオが備えるＨＤＤ、又はＣＤ／ＤＶＤドライブ等の振動が発生したり、振動を受けたりする機器４の振動を抑制する振動抑制体２を雄螺子１が固定する構成としてもよいし、また、図１８に示すように液晶テレビジョン、カーナビゲーション、カーステレオ等の表示パネルの振動を抑制する振動抑制体２を雄螺子１が固定する構成としてもよいし、また、図１９に示すようにスピーカボックスの振動を抑制する振動抑制体２を雄螺子１が固定する構成としてもよい。尚、図１６〜図１９に示す機器４は、振動抑制体２の環状溝２２に係止される略Ｕ字形をなす複数の係止片４１が設けられている。また、図１６の機器４は係止片４１を有する板状部材を備えるが、図１６の機器４は前記板状部材がない。
【図面の簡単な説明】
【００４０】
【図１】本発明に係る振動抑制体固定用の雄螺子の構成を示すもので、(a) は正面図、(b) は底面図である。
【図２】本発明に係る雄螺子が振動抑制体を固定している状態を示す断面図である。
【図３】振動を発生するファンの構成を示す斜視図である。
【図４】ファンの構成を示す分解斜視図である。
【図５】本発明に係る表示装置の構成を示す縦断側面図である。
【図６】本発明に係る表示装置の構成を示す一部を省略した背面図である。
【図７】本発明に係る雄螺子の他の構成を示すもので、(a) は正面図、(b) は底面図である。
【図８】本発明に係る雄螺子の他の構成を示すもので、(a) は正面図、(b) は底面図である。
【図９】本発明に係る雄螺子の他の構成を示すもので、(a) は正面図、(b) は底面図である。
【図１０】本発明に係る雄螺子の他の構成を示すもので、(a) は正面図、(b) は底面図である。
【図１１】本発明に係る雄螺子の他の構成を示すもので、(a) は正面図、(b) は底面図である。
【図１２】本発明に係る雄螺子の他の構成を示すもので、(a) は正面図、(b) は底面図である。
【図１３】本発明に係る雄螺子の他の構成を示すもので、(a) は正面図、(b) は底面図である。
【図１４】本発明に係る雄螺子の他の構成を示すもので、(a) は正面図、(b) は底面図である。
【図１５】本発明に係る雄螺子の他の構成を示すもので、(a) は正面図、(b) は底面図である。
【図１６】振動抑制体が振動を抑制する機器の例を示す説明図である。
【図１７】振動抑制体が振動を抑制する機器の例を示す説明図である。
【図１８】振動抑制体が振動を抑制する機器の例を示す説明図である。
【図１９】振動抑制体が振動を抑制する機器の例を示す説明図である。
【図２０】従来の振動抑制体固定用の雄螺子の構成を示す斜視図である。
【図２１】従来の振動抑制体の固定構造を示す断面図である。
【符号の説明】
【００４１】
１    雄螺子
１１  螺子部
１３  中間軸部
１５  頭部
２    振動抑制体
２１  円孔
３    支持体
３１  螺子孔
６１  表示部
６２  キャビネット
６３  排気ファン
【図１】
2008261413.tif 000003
【図２】
2008261413.tif 000004
【図３】
2008261413.tif 000005
【図４】
2008261413.tif 000006
【図５】
2008261413.tif 000007
【図６】
2008261413.tif 000008
【図７】
2008261413.tif 000009
【図８】
2008261413.tif 000010
【図９】
2008261413.tif 000011
【図１０】
2008261413.tif 000012
【図１１】
2008261413.tif 000013
【図１２】
2008261413.tif 000014
【図１３】
2008261413.tif 000015
【図１４】
2008261413.tif 000016
【図１５】
2008261413.tif 000017
【図１６】
2008261413.tif 000018
【図１７】
2008261413.tif 000019
【図１８】
2008261413.tif 000020
【図１９】
2008261413.tif 000021
【図２０】
2008261413.tif 000022
【図２１】
2008261413.tif 000023